(57)【要約】【課題】新しい内容物を容器本体へ詰め替えるときに、パウチの材質に関係なく、手を内容物で汚すこともなく容器本体内へ挿着でき、また、容器本体内を内容物で汚すことがなく、展示効果も良好な詰替え用スタンディングパウチを提供する。【解決手段】角状のスタンディングパウチ１００において、表側フィルムの外面と裏側フィルムの外面の対応する位置に、それぞれ、ほぼ同一長方形状の装飾係着片１１０を、装飾係着片の上方部を接着して取り付け、スタンディングパウチの装飾係着片の接着位置より上方を開口して、そのスタンディングパウチを容器本体に挿着するときに、容器本体の周壁の上端に、表側と裏側の装飾係着片の下方部を外側へ開いてそれぞれ係着する。【選択図】図１
2006117286.tif 000002
【特許請求の範囲】
【請求項１】
角状のスタンディングパウチにおいて、表側フィルムの外面と裏側フィルムの外面の対応する位置に、それぞれ、ほぼ同一長方形状の装飾係着片を、装飾係着片の上方部を接着して取り付け、スタンディングパウチの装飾係着片の接着位置より上方を開口して、そのスタンディングパウチを容器本体に挿着するときに、容器本体の周壁の上端に、表側と裏側の装飾係着片の下方部を外側へ開いてそれぞれ係着することを特徴とする詰替え用スタンディングパウチ。
【請求項２】
装飾係着片の表面に、文字や絵柄を印刷したことを特徴とする請求項１記載の詰替え用スタンディングパウチ。
【発明の詳細な説明】
【技術分野】
【０００１】
本発明は、新しい内容物を容器本体内へ詰め替えるときに、内容物で手や容器本体内を汚すことがない詰替え用スタンディングパウチに関するものである。
【背景技術】
【０００２】
従来、容器本体内へ新しい内容物を詰め替えるときには、詰替え用の内容物を収納する詰替え用パウチが使用されていた。この詰替え用パウチは、プラスチックフィルムからなる袋であり、内容物を容器本体へ詰め替えやすいように色々な工夫がなされていた。例えば、パウチの上端片隅にノズルを形成し、このノズルに閉塞防止機構を設けて、高粘度の内容物の注出を最後まで確実に安定して行えるもの（特許文献１参照）、ノズルにガイドシール部を形成して、液体内容物の注出が停滞しないように改善したもの（特許文献２参照）、また、パウチの上部に吊り下げ用の穴を設けて、持ち運びや内容物の移し替えなどの使用適性を改善したもの（特許文献３参照）などが知られていた。
【特許文献１】特開２００３−１３７３１９号公報
【特許文献２】特開２００３−１６０１５０号公報
【特許文献３】特開２００２−１９７９０号公報
【発明の開示】
【発明が解決しようとする課題】
【０００３】
しかしながら、粉体の内容物の場合のように、開口した詰替え用スタンディングパウチを、そのまま容器本体へ挿着して使用するものについては、使用勝手を工夫したものは、極めて少なかった。
【０００４】
例えば、上方を開口した詰替え用スタンディングパウチを、円筒容器や角型容器などに入れて、スタンディングパウチに収納された内容物を出し入れするときに、図３に示すように、スタンディングパウチ（１００）の開口部の上端縁部を外側へ折り曲げて、容器本体（２００）の周壁（２１０）の上端に引っ掛けて置かないと、スタンディングパウチと容器本体の周壁との隙間から内容物が容器本体内に落ちてしまうことがあった。また、内容物が粉体や液体の場合、スプーンなどの治具を使っても、出し入れが難しいこともあった。しかも既存のスタンディングパウチは、例えば、延伸ポリエチレンテレフタレートフィルム／接着剤／アルミニウム箔／接着剤／ナイロンフィルム／接着剤／直鎖状低密度ポリエチレンフィルム（シーラント）構成の積層フィルムからなり、剛性が高いために折り曲げにくいことがあった。また、一方では、折り曲げやすいポリエチレンフィルムからなるスタンディングパウチは、容器本体の周壁の上端周縁部に引っ掛けてやすいが、内容物が付着している内面に指が触れて引っ掛け作業を行うため、手に内容物が付着して汚れたり、また、内容物が付着するパウチの内面が、外側に出てしまうことなどがあった。
【０００５】
本発明は、上述の従来の詰替え用パウチの問題点を解決したものであり、新しい内容物を容器本体へ詰め替えるときに、パウチの材質に関係なく、手を内容物で汚すこともなく容器本体内へ挿着でき、また、容器本体内を内容物で汚すことがなく、展示効果も良好な詰替え用スタンディングパウチを提供するものである。
【課題を解決するための手段】
【０００６】
すなわち、本発明の第１の発明は、角状のスタンディングパウチにおいて、表側フィル
ムの外面と裏側フィルムの外面の対応する位置に、それぞれ、ほぼ同一長方形状の装飾係着片を、装飾係着片の上方部を接着して取り付け、スタンディングパウチの装飾係着片の接着位置より上方を開口して、そのスタンディングパウチを容器本体に挿着するときに、容器本体の周壁の上端に、表側と裏側の装飾係着片の下方部を外側へ開いてそれぞれ係着することを特徴とする詰替え用スタンディングパウチである。
【０００７】
そして、本発明の第２の発明は、装飾係着片の表面に、文字や絵柄を印刷したことを特徴とする第１の発明に記載の詰替え用スタンディングパウチである。
【発明の効果】
【０００８】
本発明の詰替え用スタンディングパウチは、表側フィルムの外面と裏側フィルムの外面の対応する位置に、それぞれ、長方形状の装飾係着片を上方部を接着して取り付けてあり、開口したスタンディングパウチを容器本体に挿着するときに、表側と裏側の装飾係着片の下方部を外側へ開いて、容器本体の周壁の上端に係着させる。このため、パウチの材質には関係することがなく、また、パウチの内面に付着する内容物で手を汚すようなこともない。
【０００９】
また、本発明の詰替え用スタンディングパウチは、粉体内容物をスプーンなどの治具で取り出しているときに、スプーンから粉体内容物がこぼれても、スタンディングパウチと容器本体の周壁との間は、容器本体に係着する装飾係着片で覆われているため、スタンディングパウチと容器本体の周壁との隙間に粉体内容物が入って、容器本体内を汚すようなことはない。
【００１０】
また、本発明の詰替え用スタンディングパウチは、表側と裏側の装飾係着片の表面に、必要に応じて、文字や絵柄を印刷することが出来るため、店頭における展示効果が良好である。
【発明を実施するための最良の形態】
【００１１】
次に、本発明の詰替え用スタンディングパウチの一実施形態について、図を用いて詳細に説明する。
【００１２】
図１は、本実施形態の詰替え用スタンディングパウチの正面図であり、図２（ａ）は、本実施形態の詰替え用スタンディングパウチの上方を開封して、容器本体の周壁上端に、表裏の装飾係着片を引っ掛けて、スタンディングパウチを容器本体内に挿着したときの正面から見た斜視図であり、図２（ｂ）は、その側面から見た斜視図である。
【００１３】
本実施形態の詰替え用スタンディングパウチ（１００）は、図１に示すように、表側フィルムと裏側フィルムとを重ね合わせ、左右の側端縁部を熱融着して側部シール部（１０２）を形成し、底部に底部フィルムを折り込んで、その外周縁部を熱融着して底部シール部（１０１）を形成して、自立可能にした角状のパウチである。フィルムとしては、パウチの使用目的に応じて、単層プラスチックフィルムや積層フィルムが使用される。粉体、固体、液体、粘稠体などの内容物を充填したのち、開口部の上端縁部を熱融着して上部シール部（１０３）を形成して、パウチを密封するものである。
【００１４】
そして、本実施形態の詰替え用スタンディングパウチ（１００）は、図１に示すように、表側フィルムの外面と裏側フィルムの外面の対応する位置に、それぞれ、ほぼ同一長方形状の装飾係着片（１１０）を、装飾係着片の上方部を接着（１１１）して取り付けるものである。装飾係着片は、単層プラスチックフィルムや積層フィルムが使用できるが、伸びるフィルムが好ましく、例えば、直鎖状低密度ポリエチレンフィルムのような無延伸フィルムが好ましい。パウチへの接着方法としは、接着剤による接着、超音波シールによる
熱融着、ヒートシールラッカーによるヒートシールなどが使用できる。装飾係着片の形状は、長方形（正方形を含む）状が基本であるが、辺の形状を直線に限ることなく波形状などでもよい。
【００１５】
なお、装飾係着片の表面に、必要に応じては、文字や絵柄を印刷することができる。文字や絵柄を装飾係着片の表面に印刷することにより、パウチの店頭での展示効果や商品の表示効果が向上する。
【００１６】
上述した本実施形態の詰替え用スタンディングパウチの容器本体への取り付け方法は、まず、スタンディングパウチの装飾係着片の接着位置より例えば５ｍｍほど上方を切断してスタンディングパウチを開口し、次に、図２（ａ）及び（ｂ）に示すように、開口したスタンディングパウチ（１００）の表側と裏側の装飾係着片（１１０）の下方部を外側へ開いて、容器本体（２００）の周壁（２１０）の上端にそれぞれ係着させて、スタンディングパウチを容器本体に挿着するものである。
【図面の簡単な説明】
【００１７】
【図１】本発明の一実施形態の詰替え用スタンディングパウチの正面図である。
【図２】（ａ）は、本発明の図１に示す詰替え用スタンディングパウチの上方を開封して、容器本体の周壁上端に、表裏の装飾係着片を引っ掛けて、スタンディングパウチを容器本体内に挿着したときの正面から見た斜視図であり、（ｂ）は、その側面から見た斜視図である。
【図３】従来の一例のスタンディングパウチを開口し、その開口部の上端縁部を外側へ折り曲げて、容器本体の周壁の上端に引っ掛けて、スタンディングパウチを容器本体内に挿着したときの斜視図である。
【符号の説明】
【００１８】
１００……スタンディングパウチ
１０１……底部シール部
１０２……側部シール部
１０３……上部シール部
１１０……装飾係着片
１１１……接着
２００……容器本体
２１０……周壁
３００……内容物
【図１】
2006117286.tif 000003
【図２】
2006117286.tif 000004
【図３】
2006117286.tif 000005